(57)【特許請求の範囲】
【請求項１】
遊技領域に遊技球を発射する発射駆動機構を作動させるために操作する発射操作ハンドルを備えた弾球遊技機において、
前記発射操作ハンドルが、前記発射駆動機構に供給する遊技球を貯留可能な球貯留皿を有する皿形成体の一端部分に前方突出状に固定されたハンドルベースと、このハンドルベースの外周近傍部に配設された環状操作部を有し且つハンドルベースに前後方向の軸回りに回動自在に装着された操作ハンドルとを備え、
前記皿形成体の一端部分の前面部は、前記皿形成体の一端部側へ移行する程前記操作ハンドルから離隔するように傾斜状に形成され、
前記操作ハンドルの回動操作位置を位置決めする為の操作補助構造であって、前記操作ハンドルの環状操作部よりも後側に位置するように前記皿形成体の一端部分の前面部に形成され且つ前記操作ハンドルを操作した遊技者の指を係止可能な前方開放状の係止穴部又は前方突出状の係止突起部からなる指係止部を有する操作補助構造を備えた、
ことを特徴とする弾球遊技機。
【発明の詳細な説明】
【技術分野】
【０００１】
本発明は、発射操作ハンドルを備えた主にパチンコ機を対象とする弾球遊技機に関し、特に、操作ハンドルの回動操作位置を位置決めする為の操作補助構造に関する。
【背景技術】
【０００２】
従来、パチンコ機には、多数の障害釘や複数の入賞口等が配置された遊技領域と、この遊技領域に遊技球を発射する発射駆動機構と、この発射駆動機構を作動させるために操作する発射操作ハンドルとが装備されている。発射駆動機構は、遊技球を打撃する打撃槌と、この打撃槌を作動させる電動アクチュエータとを有し、発射操作ハンドルにおいて、操作ハンドルを回動操作することで、電動アクチュエータが駆動され、操作ハンドルの回動操作位置を調整することで、電動アクチュエータの駆動力、つまり、打撃槌の遊技球への打撃力が調整されて、遊技球を遊技領域の所望の位置に向けて発射することができる。
【０００３】
従来の発射操作ハンドルとして、ハンドルベースが、パチンコ機の本体部材に前方突出状に固定され、操作ハンドルが、ハンドルベースの外周部の前端側に配設された環状操作部を有し、ハンドルベースに前後方向の軸回りに回動自在に支持され、ハンドルカバーが、操作ハンドルの前端側に配設されて、操作ハンドルを回動可能に保持した状態でハンドルベースに固定され、操作ハンドルの前方移動を規制するようにしたものが周知である。
【０００４】
この種の発射操作ハンドルにおいては、遊技者が手の平をハンドルカバーの前面側に位置させ、指（親指、人指し指、中指等）を操作ハンドルの環状操作部の外周部側に掛けて、操作ハンドルを回動操作し、その手で操作ハンドルとハンドルカバー、更にはハンドルベースを一体的に握って、操作ハンドルを固定し、こうして、操作ハンドルの回動操作位置を調整して保持することができる。
【０００５】
ところで、従来の発射操作ハンドルにおいて、その多くは、遊技者が操作ハンドルとハンドルベース又はハンドルカバーとの間にコイン等の異物を予定外に挿入し保持させて、操作ハンドルを固定できるようになっている。尚、操作ハンドルの指当部を利用し、その指当部の内面とハンドルベース又はハンドルカバーの外周面との間に遊技球が挿入保持されて、操作ハンドルが固定されるように構成した発射操作ハンドルも実用化されている。
【０００６】
しかし、操作ハンドルとハンドルベース又はハンドルカバーとの間に異物を予定外に挿入し保持させることは、特に無理やり圧入した場合には、その異物を取除いた場合に操作ハンドルががたつく等、発射操作ハンドルが損傷する原因になるので好ましいことではなく、また、操作ハンドルが異物で固定されることを防止して遊技の健全化を図りたいという要請に反することになる。近年、その要請は増大傾向にある。
【０００７】
そこで、特許文献１に記載の発射操作ハンドルでは、前方凸のキャップ状の前カバーが回動自在にハンドルカバーに装着され、後方凸のキャップ状の後カバーが回動自在にハンドルベースに外嵌されて操作ハンドルに装着され、前カバーの筒状後端部と後カバーの筒状前端部とが嵌合されるとともに、操作ハンドルに外嵌されて複数のボルトで共締め状に締結され、これら前後のカバーと共に操作ハンドルを回動操作することで異物の挿入を防止するものが提案されている。
【０００８】
また、操作ハンドルを異物で固定せずに、操作ハンドルの操作性を向上させるために、特許文献２に記載の発射操作ハンドルでは、操作ハンドルの外周外側へ張出して遊技者の手の親指等の１本の指を挿入できる指挿入部が、操作ハンドルに一体的に設けられている。また、特許文献３に記載の発射操作ハンドルでは、発射操作ハンドルが正面視にて非円形の特有の形状に形成され、その発射操作ハンドルに遊技者の手の人指し指、中指、薬指、小指を挿入できる大きな指挿入部が形成されている。
【先行技術文献】
【特許文献】
【０００９】
【特許文献１】実公平６−３６５１号公報
【特許文献２】特開２００５−２７８８３３号公報
【特許文献３】特開２００６−２６３１３０号公報
【発明の概要】
【発明が解決しようとする課題】
【００１０】
従来の発射操作ハンドルでは、操作ハンドルがコイン等の異物で固定されないものとして、前記のように、遊技者が手の平をハンドルカバーの前側に位置させ、指を操作ハンドルの環状操作部の外周部側に掛けて、操作ハンドルを回動操作し、その手で操作ハンドルとハンドルカバー、更にはハンドルベースを一体的に握って、操作ハンドルを固定するが、そのために、遊技者が握力等を使うことになるため、長時間続けて、遊技球を遊技領域に連続的に発射して遊技を行う場合、その発射操作負荷が大きくなる。
【００１１】
特に、遊技球を所望の発射力で遊技領域に連続的に発射するために、操作ハンドルの回動操作位置を調整して保持し、通常、こうして遊技を行うが、長時間続けて、操作ハンドルの調整した回動操作位置を保持するためには、手で操作ハンドルとハンドルカバー、更にはハンドルベースを一体的にしっかりと握り続ける必要があり、握力等が低下して、操作ハンドルの回動操作位置が調整位置からずれる虞が高いので、遊技球を所望の発射力で遊技領域に連続的に発射して遊技を行う場合に、その発射操作負荷は非常に大きくなる。
【００１２】
ここで、特許文献２，３の発射操作ハンドルでは、操作ハンドルに指挿入部を設けたので、この指挿入部により操作ハンドルの操作性の向上は期待できるが、この指挿入部は操作ハンドルと一体的に回動するものであるので、操作ハンドルの回動操作位置を位置決めするためには殆ど寄与せず、それ故、長時間続けて、操作ハンドルの調整した回動操作位置を保持して遊技を行う場合に、その発射操作負荷を軽減することは難しい。
【００１３】
本発明の目的は、発射操作ハンドルにおいて、長時間続けて、操作ハンドルを回動操作して遊技球を遊技領域に連続的に発射して遊技を行う場合、特に、操作ハンドルの調整した回動操作位置を保持して遊技球を所望の発射力で遊技領域に連続的に発射して遊技を行う場合に、その発射操作負荷を確実に軽減できる、弾球遊技機を提供することである。
【課題を解決するための手段】
【００１４】
請求項１の弾球遊技機は、遊技領域に遊技球を発射する発射駆動機構を作動させるために操作する発射操作ハンドルを備えた弾球遊技機において、発射操作ハンドルが、発射駆動機構に供給する遊技球を貯留可能な球貯留皿を有する皿形成体の一端部分に前方突出状に固定されたハンドルベースと、このハンドルベースの外周近傍部に配設された環状操作部を有し且つハンドルベースに前後方向の軸回りに回動自在に装着された操作ハンドルとを備え、皿形成体の一端部分の前面部は、皿形成体の一端部側へ移行する程前記操作ハンドルから離隔するように傾斜状に形成され、操作ハンドルの回動操作位置を位置決めする為の操作補助構造であって、操作ハンドルの環状操作部よりも後側に位置するように皿形成体の一端部分の前面部に形成され且つ操作ハンドルを操作した遊技者の指を係止可能な前方開放状の係止穴部又は前方突出状の係止突起部からなる指係止部を有する操作補助構造を備えたことを特徴としている。
【００１５】
この弾球遊技機では、発射操作ハンドルにおいて、遊技者が手の平を操作ハンドルの前側に位置させ、指（親指、人指し指、中指等）を操作ハンドルの環状操作部の外周部側に掛け、操作ハンドルを回動操作して、発射駆動機構を作動させ、遊技球を遊技領域に発射することができ、操作ハンドルの回動操作位置を調整することで、発射駆動機構による遊技球の発射力を調整することができる。そして、操作ハンドルの回動操作位置を位置決めする為の操作補助構造が設けられている。この操作補助構造は、回動操作基本位置まで操作ハンドルを遊技者から視て時計回り方向に回動操作した場合に、回動操作基本位置の環状操作部の何れかの指当部に対して反時計回り方向近傍に位置するように皿形成体の一端部分に形成されている。
【００１６】
つまり、操作ハンドルを回動操作基本位置に回動操作して、遊技球を適切な発射力で遊技領域に発射させたとき、操作ハンドルの指当部に引っ掛けた指の先端部分を指係止部に係止させて、操作ハンドルを回動操作基本位置に位置決めして、操作ハンドルの回動操作がサポートされるので、長時間続けて、操作ハンドルの調整した回動操作基本位置を保持して遊技球を適切な発射力で遊技領域に連続的に発射して遊技を行う場合に、その発射操作負荷が確実に軽減される。
【発明の効果】
【００１７】
請求項１の発明によれば、発射操作ハンドルが、ハンドルベース、操作ハンドルを備えて、操作ハンドルの回動操作位置を調整することで、発射駆動機構による遊技球の発射力を調整可能に構成し、操作ハンドルの回動操作位置を位置決めする為の操作補助構造を備え、その操作補助構造が、操作ハンドルを操作した遊技者の指を係止可能な指係止部を有するので、遊技者は操作ハンドルを操作した指を指係止部に係止させて、操作ハンドルの回動操作位置を位置決めして、操作ハンドルの回動操作をサポートできるので、長時間続けて、操作ハンドルを回動操作して遊技球を遊技領域に連続的に発射して遊技を行う場合、特に、操作ハンドルの調整した回動操作位置を保持して遊技球を所望の発射力で遊技領域に連続的に発射して遊技を行う場合に、その発射操作負荷を確実に軽減することができる。
【００１８】
また、操作補助構造の指係止部が、皿形成体の一端部分の前面部に形成され、操作ハンドルを操作した遊技者の指を係止可能な前方開放の係止穴部又は前方突出状の係止突起部からなるので、皿形成体を有効利用し、その皿形成体の一端部分の前面部に指係止部を形成して、遊技者が操作ハンドルを操作した指を指係止部に確実に係止させることができる。
【図面の簡単な説明】
【００１９】
【図１】パチンコ機の発射操作ハンドルを含む下部の正面図である。
【図２】図１の平面図である。
【図３】実施例１の発射操作ハンドル及び操作補助構造の正面図である。
【図４】実施例１の操作時の発射操作ハンドル及び操作補助構造の正面図である。
【図５】実施例１の発射操作ハンドル及び操作補助構造の部分断面側面図である。
【図６】実施例１の変形例の発射操作ハンドル及び操作補助構造の正面図である。
【図７】実施例２の発射操作ハンドル及び操作補助構造の正面図である。
【図８】実施例２の発射操作ハンドル及び操作補助構造の部分断面側面図である。
【図９】実施例３の発射操作ハンドル及び操作補助構造の正面図である。
【図１０】実施例３の発射操作ハンドル及び操作補助構造の部分断面側面図である。
【図１１】実施例４の前後移動機構と前後方向位置調節機構を示す断面図である。
【図１２】実施例４の前後移動機構と前後方向位置調節機構を示す要部平面図である。
【図１３】実施例５の回動機構と回動方向位置調節機構を示す要部平面図である。
【図１４】実施例６の前後移動兼回動機構と前後方向位置兼回動方向位置調節機構を示す要部平面図である。
【発明を実施するための形態】
【００２０】
以下、本発明を実施するための形態について実施例に基づいて説明する。
【実施例１】
【００２１】
図１、図２に示すように、弾球遊技機であるパチンコ機１は、多数の障害釘や複数の入賞口（図示略）等が配置された遊技領域２、遊技領域２に遊技球を発射する発射駆動機構３、発射駆動機構３を作動させるために操作する発射操作ハンドル４を備えている。
【００２２】
パチンコ機１は枠部材１０を備え、その枠部材１０に裏側から遊技盤１１が取付けられ、その遊技盤１１の前面側に遊技領域２が形成され、遊技領域２の前側は開閉可能なガラス扉（図示略）で覆われている。遊技領域２の右下側に発射駆動機構３が配置され、発射駆動機構３から遊技領域２へ遊技球を案内する案内レール１２が遊技盤１１の前面に取付けられている。発射駆動機構３は、図示省略するが、遊技球を打撃する打撃槌と、この打撃槌を作動させるソレノイドアクチュエータ等の電動アクチュエータとを有する。
【００２３】
パチンコ機１は枠部材１０の下側前面部分に合成樹脂製の皿形成体１３を備え、この皿形成体１３に、遊技球を貯留しその遊技球を発射駆動機構３へ案内する球貯留皿１４が形成されている。球貯留皿１４には、発射駆動機構３で遊技領域２に発射された遊技球が入賞口へ入ることで獲得できた遊技球や、発射駆動機構３で発射されたが遊技領域２へ至らずに戻ってきた遊技球が導出される。皿形成体１３にはハンドル取付部１５が一体的に設けられ、このハンドル取付部１５に前方開放状の円形取付穴１５ａが形成されている。
【００２４】
図３〜図５に示すように、発射操作ハンドル４は、ハンドルベース２０、操作ハンドル３０、ハンドルカバー４０を備え、皿形成体１３のハンドル取付部１５に前方突出状に取付けられている。ハンドルベース２０、操作ハンドル３０、ハンドルカバー４０は、夫々、合成樹脂材料で構成され、操作ハンドル３０にはメッキ加工が施されている。
【００２５】
この発射操作ハンドル４において、遊技者が操作ハンドル３０を右回しに回動操作することで、発射駆動機構３の電動アクチュエータが駆動され、操作ハンドル３０の回動操作位置を調整することで、発射駆動機構３による遊技球の発射力、つまり、発射駆動機構３の電動アクチュエータの駆動力であり、発射駆動機構３の打撃槌の遊技球への打撃力が調整されて、遊技球を遊技領域２の所望の位置に向けて発射できるように構成されている。
【００２６】
ハンドルベース２０は、パチンコ機１の本体部材である皿形成体１３のハンドル取付部１５に前方突出状に固定されている。ハンドルベース２０は、筒状基部２０ａと、筒状基部２０ａの前端部から前方へ広がるように形成されたテーパ筒部２０ｂと、テーパ筒部２０ｂの前端部から前方へ延びるように形成された大径筒部２０ｃとを有する。筒状基部２０ａの後部がハンドル取付部１５の円形取付穴１５ａに挿入され、円形取付穴１５ａの後壁部１５ｂに複数のビス（図示略）で固定されている。
【００２７】
操作ハンドル３０は、ハンドルベース２０の大径筒部２０ｃの前端側（外周近傍部）に配設された環状操作部３０ａを有し、ハンドルベース２０に前後方向の軸回りに回動自在に支持されて装着されている。環状操作部３０ａには３つの指当部３０ｂ，３０ｃ，３０ｄが半径方向外側へ張出すように一体形成されている。操作ハンドル３０は、図３に実線で示す非操作位置と鎖線で示す最大操作位置との間で約１００度に亙って回動可能であり、操作ハンドル３０の内部に装着された捩じりバネ（図示略）により、ハンドルベース２０に対して反時計回り方向へ付勢されている。
【００２８】
ハンドルカバー４０は、前方凸の略部分球面状のキャップ状に形成され、操作ハンドル３０の前端側に配設されて、操作ハンドル３０を回動可能に保持した状態でハンドルベース２０に固定され、操作ハンドル３０の前方移動を規制する。ここで、このパチンコ機１において、発射駆動機構３による遊技球の発射力が適切（遊技球を遊技領域２の好適な位置に向けて発射可能）となる、図４に示す操作ハンドル３０の大凡の回動操作位置（以下、回動操作基本位置という）は決まっている。
【００２９】
さて、このパチンコ機１には、操作ハンドル３０の回動操作位置を位置決めする為の操作補助構造５０が設けられている。この操作補助構造５０は、操作ハンドル３０の環状操作部３０ａよりも後側に位置するように皿形成体１３の前面部に固定的に設けられ、操作ハンドル３０を操作した遊技者の指を係止可能な指係止部５１を有し、この指係止部５１は、皿形成体１３に前方開放状に形成された係止穴部５１からなる。
【００３０】
係止穴部５１は、例えば、皿形成体１３に一体成形されて、指当部３０ｃに引っ掛けられて後方へ延びる人指し指の先端部分を係止可能な位置及び形状に形成されている。具体的に、係止穴部５１は、前記回動操作基本位置の操作ハンドル３０を操作している遊技者の人指し指を係止可能な位置、つまり、前記回動操作基本位置の操作ハンドル３０の指当部３０ｃに対して反時計回り方向近傍の後側に位置し、また、正面視にて上下に長い長円形であり、周壁と後端壁とを有する形状に形成されている。
【００３１】
以上説明した操作補助構造５０の作用・効果について説明する。
発射操作ハンドル４において、遊技者が手の平をハンドルカバー４０の前側に位置させ、操作ハンドル３０の指当部３０ｂ〜３０ｄに、夫々、親指、人指し指、中指を引っ掛けて、操作ハンドル３０を回動操作して、発射駆動機構３を作動させ、遊技球を遊技領域２に発射することができ、操作ハンドル３０の回動操作位置を調整することで、発射駆動機構３による遊技球の発射力を調整することができる。
【００３２】
操作ハンドル３０を前記回動操作基本位置に回動操作すると、前記のように、遊技球を遊技領域２の好適な位置に向けて発射可能となり、ここで、操作ハンドル３０の指当部３０ｃに引っ掛けた人指し指の先端部分を係止穴部５１に係止させて、操作ハンドル３０を回動操作基本位置に位置決めすることができる。逆に、操作ハンドル３０の指当部３０ｃに引っ掛けた人指し指の先端部分を係止穴部５１に係止させるようにして、操作ハンドル３０を回動操作すると、操作ハンドル３０を前記回動操作基本位置に回動操作することができ、ここで、人指し指の先端部分を係止穴部５１に係止させて、操作ハンドル３０を回動操作基本位置に位置決めすることができる。
【００３３】
操作ハンドル３０の指当部３０ｃに引っ掛けた人指し指の先端部分を係止穴部５１に係止させた状態で、操作ハンドル３０の回動操作基本位置を微調整することもできる。そして、操作ハンドル３０を固定する場合、操作ハンドル３０が反時計回り方向へ付勢されているため、従来では、手で操作ハンドル３０とハンドルカバー４０、更にはハンドルベース２０を一体的にしっかりと握る必要があったが、そうしなくても、人指し指の先端部分を係止穴部５１に係止させることで、操作ハンドル３０の回動（特に、反時計回り方向への回動）を、人指し指を介して係止穴部５１で規制して、操作ハンドル３０を固定することができる。
【００３４】
このように、操作ハンドル３０の回動操作位置を位置決めする為の操作補助構造５０を備え、その操作補助構造５０が、操作ハンドル３０の環状操作部３０ａよりも後側に位置するように皿形成体１３に固定的に設けられ、操作ハンドル３０を操作した遊技者の指を係止可能な指係止部５１を有するので、遊技者は操作ハンドル３０を操作した指を指係止部５１に係止させて、操作ハンドル３０の回動操作位置を位置決めして、操作ハンドル３０の回動操作をサポートできるので、長時間続けて、操作ハンドル３０を回動操作して遊技球を遊技領域２に連続的に発射して遊技を行う場合、特に、操作ハンドル３０の調整した回動操作位置を保持して遊技球を所望の発射力で遊技領域２に連続的に発射して遊技を行う場合に、その発射操作負荷を確実に軽減することができる。
【００３５】
指係止部５１が、皿形成体１３に前方開放状に形成された係止穴部５１からなるので、操作ハンドル３０の環状操作部３０ａの後側に位置する部分の皿形成体１３を有効利用し、その皿形成体１３に係止穴部５１を設けて、遊技者が操作ハンドル３０を操作した指を係止穴部５１に確実に係止させることができる。
【００３６】
ここで、操作補助構造５０の変更例について説明すると、図６に示すように、この操作補助構造５０Ａにおいて、係止穴部５２は、例えば、指当部３０ｃに引っ掛けられて後方へ延びる人指し指の先端部分を、操作ハンドル３０の回動方向の複数位置（例えば、５位置）の何れかに択一的に選択して係止可能な位置及び形状に形成されている。
【００３７】
具体的に、係止穴部５２は、操作ハンドル３０の回動方向に細長く、円弧状の外周壁部と、波形の内周壁部と、後端壁とを有する形状に形成され、波形の内周壁部に中心側へ凹む５つの凹部５２ａ〜５２ｅが形成され、これら凹部５２ａ〜５２ｅの何れかに択一的に人指し指の先端部分を係止させることができる。尚、５つの凹部５２ａ〜５２ｅの１つが前記係止穴部５１と対応する位置に形成されている。
【００３８】
この操作補助構造５０Ａによれば、係止穴部５２の５つの凹部５２ａ〜５２ｅの何れかに人指し指の先端部分を択一的に選択して係止させること、つまり、発射駆動機構３による遊技球の発射力を５段階の何れかとするように、操作ハンドル３０の回動操作位置を５つの回動操作位置の何れかに任意に位置決めすることができる。その他の作用・効果は、前記操作補助構造５０と同様の作用・効果を奏する。
【００３９】
その他の操作補助構造５０，５０Ａの変更例として、係止穴部５１，５２については、人指し指ではなくて、親指、中指、薬指等の何れかの指を係止可能な位置及び形状に形成してもよい。また、係止穴部５１，５２を前後に貫通状に形成してもよい。
【００４０】
次に、実施例１の操作補助構造５０を変更した実施例２〜５について説明する。尚、実施例１と基本的に同じものには同一符号を付して説明を省略する。
【実施例２】
【００４１】
図７、図８に示すように、この操作補助構造５５は、操作ハンドル３０の環状操作部３０ａよりも後側に位置するように皿形成体１３の前面部に固定的に設けられ、操作ハンドル３０を操作した遊技者の指を係止可能な指係止部５６を有し、この指係止部５６は、皿形成体１３に前方突出状に形成された係止突起部５６からなる。係止突起部５６は、例えば、皿形成体１３に一体成形されて、指当部３０ｃに引っ掛けられて後方へ延びる人指し指の先端部分を係止可能な位置及び形状に形成されている。具体的に、係止突起部５６は、実施例１の係止穴部５１と対応する位置に、上下に細長い帯片状に形成されている。
【００４２】
この操作補助構造５５によれば、指係止部５６が、皿形成体１３に前方突出状に形成された係止突起部５６からなるので、操作ハンドル３０の環状操作部３０ａの後側に位置する部分の皿形成体１３を有効利用し、その皿形成体１３に係止突起部５６を設けて、遊技者が操作ハンドル３０を操作した指を係止突起部５６に確実に係止させることができる。その他は実施例１と同様の作用・効果を奏する。
【００４３】
尚、係止突起部５６を皿形成体１３とは別体に形成して、皿形成体１３に固着して設けてもよい。また、係止突起部５６として、操作ハンドル３０の回動方向に細長い波形に形成し、この係止突起部に中心側へ複数の凹部を形成したものを採用し、これら凹部の何れかに択一的に人指し指の先端部分を係止させるようにしてもよい。係止突起部５６については、人指し指ではなくて、親指、中指、薬指等の何れかの指を係止可能な位置及び形状に形成してもよい。
【実施例３】
【００４４】
図９、図１０に示すように、この操作補助構造６０は、ハンドルベース２０の前後方向途中部にその外周外側へ張出すように取付けられた環状補助部材６１を備え、指係止部６２が、環状補助部材６１の外周部に形成された係止切欠部６２からなる。環状補助部材６１は円板状に形成され、その内周部に筒状部６１ａが一体形成され、その筒状部６１ａがハンドルベース２０の筒状基部２０ａに外嵌状に固定されている。係止切欠部６２は、指当部３０ｃに引っ掛けられて後方へ延びる人指し指の先端部分を係止可能な位置（実施例１の係止穴部５１に対応する位置）及び形状に形成されている。
【００４５】
この操作補助構造６０によれば、ハンドルベース２０の前後方向途中部にその外周外側へ張出すように取付けられた環状補助部材６１を備え、指係止部６２が、環状補助部材６１の外周部に形成された係止切欠部６２からなるので、操作ハンドル３０の環状操作部３０ａとその後側に位置する部分の皿形成体１３との間のスペースを有効利用し、そのスペースに指係止部６２を設けた環状補助部材６１を、遊技者が操作ハンドル３０を操作した指に接近させるようにして有効に配置して、その指を指係止部６２に確実に係止させることができる。その他は実施例１と同様の作用・効果を奏する。
【００４６】
尚、環状補助部材６１の外周部に複数の係止切欠部６２を連続的に形成し、これら係止切欠部６２の何れかに択一的に人指し指の先端部分を係止させるようにしてもよい。また、環状補助部材６１には、指係止部６２として、係止切欠部６２ではなくて、前方開放状（貫通状）に形成された係止穴部、又は、前方突出状に形成された係止突起部を設けてもよい。この場合、実施例１，２の変更例のように波形に形成してもよい。係止切欠部６２については、人指し指ではなくて、親指、中指、薬指等の何れかの指を係止可能な位置及び形状に形成してもよい。
【実施例４】
【００４７】
図１１、図１２に示すように、この操作補助構造７０は、ハンドルベース２０に対して環状補助部材６１を前後方向へ移動可能にした前後移動機構７１と、環状補助部材６１の前後方向の位置を遊技者の係止させる指に対応する位置に調節可能な前後方向位置調節機構７２とを有する。環状補助部材６１については、実施例３と同様のものであり、環状補助部材６１に係止切欠部６２又は係止穴部又は係止突起部が形成されている。
【００４８】
前後移動機構７１は、環状補助部材６１の筒状部６１ａをハンドルベース２０の筒状基部２０ａに摺動自在に外嵌させるとともに、前後移動機構７１と共通の前後方向溝７３及び係合突起部７５により、前後方向へ移動自在に案内するように構成されている。
【００４９】
前後方向位置調節機構７２は、ハンドルベース２０の筒状基部２０ａの外周部に形成された前後方向溝７３と、同外周部に形成されて前後方向溝７３の前後両端部から反時計回り方向へ延びる前後２つの周方向溝７４と、環状補助部材６１の筒状部６１ａからその中心側へ突出し前後方向溝７３と周方向溝７４とに摺動自在に係合可能な係合突起部７５と、環状補助部材６１を反時計回り方向へ付勢する付勢手段（図示略）とを有する。この付勢手段は、例えば、筒状基部２０ａと筒状部６１ａの間に装着されたバネ部材からなる。
【００５０】
この前後方向位置調節機構７２では、係合突起部７５が２つの周方向溝７４の一方に係合され、その一方の周方向溝７４の反時計回り方向側端部に付勢手段で押圧された状態で係止されて、環状補助部材６１が固定され、この状態から、遊技者が環状補助部材６１を持って付勢手段の付勢力に抗して時計回り方向へ回動させ、係合突起部７５を前後方向溝７３に係合させて、環状補助部材６１を前後方向へ移動させ、係合突起部７５を２つの周方向溝７４の他方に係合させ又は係合可能に位置させ、遊技者が環状補助部材６１を離すことで、その他方の周方向溝７４の反時計回り方向側端部に付勢手段で押圧された状態で係止されて、環状補助部材６１が固定される。
【００５１】
このように、環状補助部材６１を前後方向の２位置に択一的に切換えることが可能になる。尚、前後方向溝７３の長さ方向途中部から反時計回り方向へ延びる複数の周方向溝を形成することで、この場合、前後方向溝７３を長くしてもよいが、環状補助部材６１を前後方向の複数位置に択一的に切換えることが可能になる。
【００５２】
この操作補助構造７０によれば、操作補助構造７０が、ハンドルベース２０に対して環状補助部材６１を前後方向へ移動可能にした前後移動機構７１と、環状補助部材６１の前後方向の位置を遊技者の係止させる指に対応する位置に調節可能な前後方向位置調節機構７２とを有するので、操作ハンドル３０の調整した回動操作位置を保持できるように、遊技者の手や指の大きさに応じて、遊技者が操作ハンドル３０を操作した指を指係止部に適切に係止させることができる。
【実施例５】
【００５３】
図１３に示すように、この操作補助構造８０は、ハンドルベース２０に対して環状補助部材６１を操作ハンドル３０の軸回りに回動可能にした回動機構８１と、環状補助部材６１の回動方向の位置を遊技者の係止させる指に対応する位置に調節可能な回動方向位置調節機構８２とを有する。環状補助部材６１については、実施例３と同様のものであり、環状補助部材６１に係止切欠部６２又は係止穴部又は係止突起部が形成されている。
【００５４】
回動機構８１は、環状補助部材６１の筒状部６１ａをハンドルベース２０の筒状基部２０ａに摺動自在に外嵌させるとともに、回動方向位置調節機構８２と共通の周方向溝８３及び係合突起部８５により、操作ハンドル３０の軸回りに回動自在に案内するように構成されている。
【００５５】
回動方向位置調節機構８２は、ハンドルベース２０の筒状基部２０ａの外周部に形成された周方向溝８３と、同外周部に形成されて周方向溝８３から前方へ延びる複数（例えば、５つ）の前後方向溝８４と、環状補助部材６１の筒状部６１ａからその中心側へ突出し周方向溝８３と前後方向溝８４とに摺動自在に係合可能な係合突起部８５と、環状補助部材６１を前方へ付勢する付勢手段（図示略）とを有する。この付勢手段は、例えば、筒状基部２０ａと筒状部６１ａの間に装着されたバネ部材からなる。
【００５６】
この回動方向位置調節機構８２では、係合突起部８５が複数の前後方向溝８４の１つに係合され、その１つの前後方向溝８４の前端部に付勢手段で押圧された状態で係止されて、環状補助部材６１が固定され、この状態から、遊技者が環状補助部材６１を持って付勢手段の付勢力に抗して後方へ移動させ、係合突起部８５を周方向溝８３に係合させて、環状補助部材６１を回動させ、係合突起部８５を他の前後方向溝８４に係合させ又は係合可能に位置させ、遊技者が環状補助部材６１を離すことで、その前後方向溝８４の前端部に付勢手段で押圧された状態で係止されて、環状補助部材６１が固定される。
【００５７】
このように、環状補助部材６１を回動方向の複数位置に択一的に切換えることが可能になる。尚、周方向溝８３の長さや、周方向溝８３から前方へ延びる複数の前後方向溝８４の数等については適宜設定可能である。
【００５８】
この操作補助構造８０によれば、操作補助構造８０が、ハンドルベース２０に対して環状補助部材６１を操作ハンドル３０の軸回りに回動可能にした回動機構８１と、環状補助部材６１の回動方向の位置を遊技者の係止させる指に対応する位置に調節可能な回動方向位置調節機構８２とを有するので、操作ハンドル３０の調整した回動操作位置を保持できるように、遊技者の手や指の大きさに応じて、遊技者が操作ハンドル３０を操作した指を指係止部に適切に係止させることができる。
【実施例６】
【００５９】
図１４に示すように、この操作補助構造９０は、ハンドルベース２０に対して環状補助部材６１を前後方向へ移動可能に且つ操作ハンドル３０の軸回りに回動可能にした前後移動兼回動機構９１と、環状補助部材６１の前後方向の位置且つ回動方向の位置を遊技者の係止させる指に対応する位置に調節可能な前後方向位置兼回動方向位置調節機構９２とを有する。環状補助部材６１については、実施例３と同様のものであり、環状補助部材６１に係止切欠部６２又は係止穴部又は係止突起部が形成されている。
【００６０】
前後移動兼回動機構９１は、環状補助部材６１の筒状部６１ａをハンドルベース２０の筒状基部２０ａに摺動自在に外嵌させるとともに、前後方向位置兼回動方向位置調節機構９２と共通の複数の周方向溝８３及び前後方向連通溝９３により、前後方向へ移動自在に、また、操作ハンドル３０の軸回りに回動自在に案内するように構成されている。
【００６１】
前後方向位置兼回動方向位置調節機構９２は、実施例５の周方向溝８３と複数の前後方向溝８４を前後に複数組（例えば、２組）設けるとともに、複数の周方向溝８４を時計回り方向へ多少伸ばして、これらの時計回り方向端部同士を連通するように、ハンドルベース２０の筒状基部２０ａの外周部に形成された前後方向連通溝９３と、環状補助部材６１の筒状部６１ａからその中心側へ突出し周方向溝８３と前後方向溝８４と前後方向連通溝９３とに摺動自在に係合可能な係合突起部９４と、環状補助部材６１を前方と反時計回り方向へ付勢する付勢手段（図示略）とを有する。
【００６２】
この前後方向位置兼回動方向位置調節機構９２では、係合突起部９４が複数の前後方向溝８４の何れかに係合され、その前後方向溝８４の前端部に付勢手段で押圧された状態で係止されて、環状補助部材６１が固定される。この状態から、遊技者が環状補助部材６１を持って付勢手段の付勢力に抗して後方へ移動させ、係合突起部８５を周方向溝８３に係合させて、環状補助部材６１を回動させ、係合突起部８５を同周方向溝８３に繋がる他の前後方向溝８４に係合させ又は係合可能に位置させ、遊技者が環状補助部材６１を離すことで、その前後方向溝８４の前端部に付勢手段で押圧された状態で係止されて、環状補助部材６１が固定される。
【００６３】
また、遊技者が環状補助部材６１を持って付勢手段の付勢力に抗して後方へ移動させ、係合突起部８５を周方向溝８３に係合させて、環状補助部材６１を反時計回り方向へ最大限回動させ、係合突起部８５を前後方向連通溝９３に係合させてから、環状補助部材６１を前後方向へ移動させて、係合突起部８５を他の周方向溝８３に係合させてから、その同周方向溝８３に繋がる他の前後方向溝８４に係合させ又は係合可能に位置させ、遊技者が環状補助部材６１を離すことで、その前後方向溝８４の前端部に付勢手段で押圧された状態で係止されて、環状補助部材６１が固定される。
【００６４】
このように、環状補助部材６１を前後方向の複数位置に択一的に切換えることが可能であり、且つ、環状補助部材６１を回動方向の複数位置に択一的に切換えることが可能になる。即ち、操作ハンドル３０の調整した回動操作位置を保持できるように、遊技者の手や指の大きさに応じて、環状補助部材６１を前後方向位置と回動方向位置を調節して、遊技者が操作ハンドル３０を操作した指をより適切に指係止部に係止させることができる。
【００６５】
その他、本発明の趣旨を逸脱しない範囲において、前記開示事項以外の種々の変更を付加して実施可能である。例えば、ハンドルベース２０を固定する本体部材、実施例１，２の指係止部を設ける本体部材については、皿形成体１３に限定されない。そして、本発明の操作補助構造を備えた弾球遊技機については、種々のパチンコ機、また、パチンコ機以外の種々の弾球遊技機に適用可能である。
【符号の説明】
【００６６】
１  パチンコ機
２  遊技領域
３  発射駆動機構
４  発射操作ハンドル
１３  皿形成体
２０  ハンドルベース
３０  操作ハンドル
３０ａ  環状操作部
５０，５０Ａ，５５，６０，７０，８０，９０  操作補助構造
５１，５２  係止穴部（指係止部）
５６  係止突起部（指係止部）
６１  環状補助部材
６２  切欠部（指係止部）
７１  前後移動機構
７２  前後方向位置調節機構
８１  回動機構
８２  回動方向位置調節機構
９１  前後移動兼回動機構
９２  前後方向位置兼回動方向位置調節機構
【図１】
0005269217.tif 000002
【図２】
0005269217.tif 000003
【図３】
0005269217.tif 000004
【図４】
0005269217.tif 000005
【図５】
0005269217.tif 000006
【図６】
0005269217.tif 000007
【図７】
0005269217.tif 000008
【図８】
0005269217.tif 000009
【図９】
0005269217.tif 000010
【図１０】
0005269217.tif 000011
【図１１】
0005269217.tif 000012
【図１２】
0005269217.tif 000013
【図１３】
0005269217.tif 000014
【図１４】
0005269217.tif 000015